(57)【要約】【課題】無線高速データシステムの公衆網と私設網を共用に使用する場合に私設網内の呼着発信に従う無線高速データ端末の状態情報を管理するための呼処理方法を提供する。【解決手段】本発明は、公衆網と私設網が連動する移動通信システムで私設網内にある端末の状態情報を公衆網に伝達して公衆網で公衆及び私設共有セル領域内にある私設網加入者の状態を把握できるようにする。これにより、迅速、円滑に公衆及び私設移動通信サービスを提供できるようになる。また、私設網に接続された２つの端末間でデータ通信が行われる場合にも、データ通信をする２つの端末間の変化する状態情報を更新する呼処理方法を提供することにより、公衆網を通じて２つの端末のうち一つの端末に呼接続要求があっても、不必要なページングメッセージの伝送を低減することができ、ページング無応答発生のような誤りを防止することができる。【選択図】図２
2004112793.tif 000002
【特許請求の範囲】
【請求項１】
　無線高速データシステムにおける無線高速データ端末の状態情報管理のための呼処理方法において、
　無線私設網に接続された無線高速データ端末が無線私設網に接続された他の無線高速データ端末との呼接続を要求すると、無線高速データ端末間の呼接続を実行して無線高速データサービスを提供し、無線高速データサービスが終了した後、呼接続を解除する過程と、
　無線高速データ端末間の呼接続と呼解除に応じて変化する無線高速データ端末の状態情報を更新する過程と、からなることを特徴とする方法。
【請求項２】
　無線高速データシステムにおける無線高速データ端末の状態情報管理のための呼処理方法において、
　無線私設網に接続された無線高速データ端末が無線私設網に接続された他の無線高速データ端末との呼接続を要求すると、無線高速データ端末間の呼接続を実行して無線高速データサービスを提供する過程と、
　無線高速データ端末の状態情報をビジー状態に更新する過程と、
　無線高速データ端末の無線高速データサービスが完了すると、呼接続を解除する過程と、
　呼接続解除に応じて無線高速データ端末の状態情報をアイドル状態に更新する過程と、からなることを特徴とする方法。
【請求項３】
　無線高速データシステムにおける無線高速データ端末の状態情報管理のための呼処理方法において、
　無線私設網に接続された無線高速データ端末が無線私設網に接続された他の無線高速データ端末との呼接続を要求すると、私設アクセス網制御器が他の無線高速データ端末との呼接続を実行して無線高速データサービスを提供する過程と、
　私設アクセス網制御器が無線高速データ端末の状態情報更新を要求する過程と、
　データ位置貯蔵器が状態情報更新要求に応じて無線高速データ端末の状態情報をビジー状態に更新する過程と、
　無線高速データ端末の無線高速データサービスが終了すると、無線高速データ端末間の呼接続を解除し、私設アクセス網制御器が無線高速データ端末の状態情報更新を要求する過程と、
　データ位置貯蔵器が状態情報更新要求に応じて無線高速データ端末の状態情報をアイドル状態に更新する過程と、からなることを特徴とする方法。
【請求項４】
　データ位置登録器は呼接続を要求する無線高速データ端末に関する情報を他の無線高速データ端末に関する情報と一致させて貯蔵する請求項３記載の方法。
【請求項５】
　私設アクセス網制御器とデータ位置登録器はＩＰに基づいて構成される請求項４記載の方法。
【請求項６】
　私設アクセス網制御器は発信側無線高速データ端末と着信側無線高速データ端末の現在の状態情報を含む状態情報更新要求メッセージをデータ位置登録器に伝送する請求項５記載の方法。
【請求項７】
　私設アクセス網制御器が発信側無線高速データ端末と着信側無線高速データ端末の状態情報をビジー状態に更新する要求メッセージを伝送し、データ位置登録器が状態情報更新要求メッセージを受信した場合に加入者情報を検索して無線高速データ端末状態情報をビジー状態情報に更新する請求項５記載の方法。
【請求項８】
　無線データシステムにおいて、
　第１アクセスサービスを受信する第１無線高速データ端末と、
　第２アクセスサービスを受信する第２無線高速データ端末と、
　第１無線高速データ端末が第１私設アクセス網送受信器の無線サービス領域に移動した場合に、セッションを設定する第１私設アクセス網送受信器システムと、
　第２無線高速データ端末が第２私設アクセス網送受信器の無線サービス領域に移動した場合に、セッションを設定する第２私設アクセス網送受信器システムと、
　無線高速データ端末間の呼接続を遂行し、第１無線高速データ端末が第２ネットワークサービスに接続された第２無線高速データ端末との呼接続を要求する場合、第１無線高速データ端末及び第２無線高速データ端末にデータサービスを提供し、第１無線高速データ端末及び第２無線高速データ端末の状態情報を更新するように要求する私設アクセス網制御器と、からなることを特徴とする無線データシステム。
【請求項９】
　データ位置登録器が状態情報更新要求に応じて無線高速データ端末の状態情報をビジー状態に更新する請求項８記載の無線データシステム。
【請求項１０】
　私設アクセス網制御器が、無線高速データ端末に対するデータサービスを完了した場合、無線高速データ端末の状態情報の更新を要求し、無線高速データ端末間の呼接続を解除する請求項９記載の無線データシステム。
【請求項１１】
　データ位置登録器は他の状態情報更新要求に応じて無線高速データ端末の状態情報をアイドル状態情報に更新する請求項１０記載の無線データシステム。
【請求項１２】
　第１ネットワークサービスは無線私設網である請求項１１記載の無線データシステム。
【請求項１３】
　第２ネットワークサービスはＰＬＭＮである請求項１２記載の無線データシステム。
【請求項１４】
　第２ネットワークサービスは公衆網である請求項１２記載の無線データシステム。
【請求項１５】
　データ位置登録器は無線私設網の第１無線高速データ端末に関する情報をＰＬＭＮの第２無線高速データ端末に関する情報と一致させて貯蔵する請求項１３記載の無線データシステム。
【請求項１６】
　私設アクセス網制御器とデータ位置登録器はＩＰに基づいて構成される請求項１５記載の無線データシステム。
【請求項１７】
　私設アクセス網制御器が発信側無線高速データ端末と着信側無線高速データ端末の状態情報をビジー状態に更新する要求メッセージを伝送し、データ位置登録器が状態情報更新要求メッセージを受信した場合に加入者情報を検索して無線高速データ端末状態情報をビジー状態に更新する請求項１６記載の無線データシステム。
【発明の詳細な説明】
【技術分野】
【０００１】
　本発明は無線公衆網(Public Land Mobile Network:ＰＬＭＮ)と有無線私設網が相互に連動する移動通信システムに関するもので、特に移動通信システムで私設網の加入者状態を公衆無線網に伝達して公衆網と私設網の加入者状態を整合させる方法に関する。
【背景技術】
【０００２】
　一般的に、公衆移動通信網と私設(または構内)移動通信網は互いに独立的に具現されており、二つの網間の相互連動は困難である。即ち、通常、移動通信システムは公衆用移動通信サービスのみ、または私設用移動通信サービスのみを提供できるようにそれぞれ設計され具現されているので、各網に登録された移動端末加入者は自己が登録された網のみでサービスを受けることができる。従って、公衆用移動通信網に登録された移動端末加入者は私設移動通信サービスを受けることができず、同様に、私設移動通信網に登録された移動端末加入者は公衆移動通信サービスを受けることができない。このため、一つの移動端末の移動端末加入者が公衆及び私設移動通信サービスを共に受けられることが要求されている。
【０００３】
　このようなシステム開発の必要性によって、一つの移動端末が公衆及び私設移動通信サービスを共に受けられるようにする公衆及び私設移動通信システムがある（例えば、特許文献１参照。）。
【特許文献１】韓国特許第３６５７９０号明細書。
【０００４】
　図１に示したように、この特許出願に開示されたシステムの概略的な構成及びその通信経路は次の通りである。
【０００５】
　ここで、ＭＳは移動局(Mobile Station)、即ち無線端末を示し、ＭＳＣ(Mobile Switching Center)は移動交換局を示し、ＢＳＣ(Base Station Controller)は基地局制御局を示し、ＢＴＳ(Base Station Transceiver Subsystem)は基地局を示す。また構成要素の名称の前に記載した“ｐ”は“私設(private)”を意味するものとして、公衆網構成要素と区別するために便宜上使用したものである。
【０００６】
　図１を参照すると、公衆／私設通信サービス装置１２は、私設交換機(ＰＢＸ:Private Branched eXchange)３０と、ｐＢＳＣ(private ＢＳＣ)４０と、ＣＭ(Call Manager)５０と、からなる。私設交換機３０はスイッチ３２、Ｅ１インタフェース３４を含んでおり、ｐＢＳＣ４０はｐＣＩＮ(private Communication Interconnection Network)４２及びＴＳＢ(Transcoder & Selector Bank)４４を含んでいる。スイッチ３２はＰＳＴＮ／ＩＳＤＮ１６と接続されている。
【０００７】
　私設交換機３０及びｐＢＳＣ４０の内部構成は、公衆用移動通信サービス及び私設用移動通信サービスを提供する場合の通信経路を説明するために必要な構成要素のみを示したものである。ＭＳ２４、２５(Mobile Station、即ち移動端末機)は、公衆／私設共有セル領域にあり、私設用移動通信サービスを受けることができるように、公衆／私設通信サービス装置１２にサービス登録されていると仮定し、ＭＳ２２は公衆専用セル領域にあると仮定する。上述した仮定下で、通信経路(トラヒックチャネル)Ａ、即ち、ＭＳ２４、ｐＢＴＳ(８−ｋ)、ｐＢＳＣ４０のｐＣＩＮ４２、ＴＳＢ４４、スイッチ３２、Ｅ１インタフェース３４、ＴＳＢ４４、ｐＣＩＮ４２、ｐＢＴＳ(８−ｋ)、ＭＳ２５で形成される通信経路と、その反対方向に形成される通信経路とは私設用移動通信サービスを提供する場合の通信経路の一例である。そして、通信経路(即ちトラヒックチャネル)Ｂ、即ち、ＭＳ２５、ｐＢＴＳ(８−ｋ)、ｐＢＳＣ４０のｐＣＩＮ４２、ＰＬＭＮ(Public Land Mobile Network)１のＢＳＣ(４−ｍ)、ＭＳＣ(２−１)、ＢＳＣ(４−ｍ)、ＢＴＳ(８−１)、ＭＳ２２で形成される通信経路と、その反対方向に形成される通信経路とは公衆用移動通信サービスを提供する場合の通信経路の一例である。このような公衆用移動通信サービス及び私設用移動通信サービスのための通信経路形成は、公衆／私設通信サービス装置１２の主制御装置であるＣＭ５０の制御により遂行される。また、公衆／私設通信サービス装置１２は有線サービス、ＩＰ(Internet Protocol)端末サービス、公衆用及び私設用移動通信サービスを提供する。有線サービスはＰＢＸ３０により提供され、ＩＰ端末機間のサービスはＶｏＩＰ(Voice over Internet Protocol)ゲートキーパー(gate keeper)(図示せず)により提供され、公衆用及び私設用移動通信サービス、即ち、無線呼サービスはＣＭ５０の制御により遂行される。
【０００８】
　また、このような公衆及び私設移動通信システムを３Ｇネットワークに適用して構内無線インターネットができるように向上させた例がある（特許文献２参照。）。
【特許文献２】韓国特許出願公開２００３−０２６８８４。
【０００９】
　この特許出願の一例のような公衆網と私設網を連動してサービスを提供するシステムでは、通常のＰＬＭＮでＭＳＣ→ＢＳＣ→ＢＴＳ→ＭＳの順序に呼出（paging）信号が伝達され、移動無線端末機の呼出応答メッセージ経路は呼出信号伝達過程の逆順、即ちＭＳ→ＢＴＳ→ＢＳＣ→ＭＳＣになる。
【００１０】
　一方、前述の特許出願(韓国特許出願第２００１−０６０８３１号)の一例のような公衆及び私設通信サービスシステムではＭＳＣ→ＢＳＣ→ｐＢＳＣ→ＢＴＳ→ＭＳの順序に呼出信号が伝達され、公衆及び私設無線端末の応答経路は、呼出信号伝達過程の逆順、即ちＭＳ→ＢＴＳ→ｐＢＳＣ→ＢＳＣ→ＭＳＣになる。この場合、ｐＢＳＣは通過する呼が公衆網呼である場合には、そのまま(transparently)通過させ、公衆／私設共有セル領域内にある端末に対する公衆網着信／発信処理に影響を与えないので公衆網と互換性を維持する。さらに、公衆網ＢＳＣはｐＢＳＣを利用することなく、直接ＢＴＳに接続されることが可能である。私設網呼が発生した場合には、これを認識して私設網内部で呼処理を遂行するように制御する。
【００１１】
　しかし、このように構成された公衆及び私設移動通信システムでは、公衆及び私設共有セル領域内の一つの構内無線端末が他の構内端末と通話中であったり、ＰＢＸを通じて他の端末(即ち、ＰＢＸに接続された他の構内端末、または、ＰＢＸの局線を通じて接続されることができるＰＳＴＮ網上に接続された他の端末)と通話中であると、公衆移動通信網が該当構内無線端末を呼び出す場合、公衆網では該当端末が構内呼接続中であることを把握できず、該当端末がアイドル状態であることを前提にして呼出信号を発生する。このため、構内呼接続中である端末機は応答することができない。これによって公衆網では該当無線端末の位置を把握することができず、２次呼出まで試みるようになるなど、公衆網無線資源の浪費をもたらすようになり、発信者は受信者の正確な状態を認識できないといった問題がある。ここで、２次呼出とは単純に呼出回数のみを意味するものではなく、呼出領域(paging zone)を広げることも意味する。言い換えれば、２次呼出時に呼出領域に属する基地局の個数が１次呼出時より多くなる場合(ただし、各呼出領域は、この場合、新しく決定されるものではなく、すでに決定されたものである)、公衆網で遂行される呼出であるので、該当私設／公衆網の呼出範囲を越えることになる。
【００１２】
　また、１ｘＥＶ−ＤＯ（1x Evolution-Data Only）などの無線高速データ端末のための高速無線データシステムでは、無線私設網に端末（ＡＮ：Access Node）が接続されて任意ＡＮとデータ通信が遂行され、その任意ＡＮがアイドル（idle）状態からビジー(busy)状態に変化しても、公衆網は任意ＡＮの状態変化を把握できず、いまだアイドル(idle)状態にあると判断する。このような状態で公衆網から任意端末に対して呼接続（call connection）要求が発生すると、公衆網は任意端末の状態をアイドル(idle)状態と認識しているので、ページングメッセージをＡＮＴＳ（Access Network Transceiver System）に伝送するようになり、ＡＮＴＳはページング無応答処理を行う。このようなページング無応答処理は呼処理過程及びページングメッセージ伝送過程で誤りを発生させ、また、これらの不必要な処理過程は公衆網に無意味な負荷（load）を増加させる。
【発明の開示】
【発明が解決しようとする課題】
【００１３】
　従って、このような問題を解決するための本発明の目的は、無線私設網内で遂行される呼発着信に応じて変化する無線高速データ端末の状態情報を公衆網に提供するための呼処理方法を提供することにある。
【００１４】
　また、本発明は公衆網と私設網が連動する移動通信システムで、私設網内にある端末の状態情報を公衆網に伝達して公衆網の加入者状態情報と私設網の加入者状態情報を整合できるようにする方法を提供することにある。
【課題を解決するための手段】
【００１５】
　このような目的を達成するための本発明の第１特徴によると、無線高速データシステムにおける無線高速データ端末の状態情報管理のための呼処理方法は、無線私設網に接続された無線高速データ端末が無線私設網に接続された他の無線高速データ端末との呼接続を要求すると、無線高速データ端末間の呼接続を実行して無線高速データサービスを提供し、無線高速データサービスが終了した後、呼接続を解除する過程と、無線高速データ端末間の呼接続と呼解除に応じて変化する無線高速データ端末の状態情報を更新する過程と、からなるとよい。
【００１６】
　また、本発明の第２特徴によると、無線高速データシステムにおける無線高速データ端末の状態情報管理のための呼処理方法は、無線私設網に接続された無線高速データ端末が無線私設網に接続された他の無線高速データ端末との呼接続を要求すると、無線高速データ端末間の呼接続を実行して無線高速データサービスを提供する過程と、無線高速データ端末の状態情報をビジー(busy)状態に更新する過程と、無線高速データ端末の無線高速データサービスが完了すると、呼接続を解除する過程と、呼接続解除に応じて無線高速データ端末の状態情報をアイドル(idle)状態に更新する過程と、からなるとよい。
【００１７】
　さらに、本発明の第３特徴によると、無線高速データシステムにおける無線高速データ端末の状態情報管理のための呼処理方法は、無線私設網に接続された無線高速データ端末が無線私設網に接続された他の無線高速データ端末との呼接続を要求すると、私設アクセス網制御器が他の無線高速データ端末との呼接続を実行をして無線高速データサービスを提供する過程と、私設アクセス網制御器が無線高速データ端末の状態情報更新を要求する過程と、データ位置貯蔵器が状態情報更新要求に応じて無線高速データ端末の状態情報をビジー(busy)状態に更新する過程と、無線高速データ端末の無線高速データサービスが終了すると、無線高速データ端末間の呼接続を解除し、私設アクセス網制御器が無線高速データ端末の状態情報更新を要求する過程と、データ位置貯蔵器が状態情報更新要求に応じて無線高速データ端末の状態情報をアイドル状態に更新する過程と、からなるとよい。
【００１８】
　この方法で、データ位置登録器は呼接続を要求する無線高速データ端末に関する情報を他の無線高速データ端末に関する情報と一致させて貯蔵するとよい。
【００１９】
　また、この方法では、私設アクセス網制御器とデータ位置登録器がＩＰに基づいて構成されるとよい。
【００２０】
　私設アクセス網制御器は発信側無線高速データ端末と着信側無線高速データ端末の現在の状態情報を含む状態情報更新要求メッセージをデータ位置登録器に伝送するとよい。
【００２１】
　私設アクセス網制御器が発信側無線高速データ端末と着信側無線高速データ端末の状態情報をビジー状態に更新する要求メッセージを伝送し、データ位置登録器が状態情報更新要求メッセージを受信した場合に加入者情報を検索して無線高速データ端末状態情報をビジー状態情報に更新することができる。
【００２２】
　さらにまた、本発明の第４特徴では、無線データシステムを提供する。すなわち、このシステムは、第１アクセスサービスを受信する第１無線高速データ端末と、第２アクセスサービスを受信する第２無線高速データ端末と、第１無線高速データ端末が第１私設アクセス網送受信器の無線サービス領域に移動した場合に、セッションを設定する第１私設アクセス網送受信器システムと、第２無線高速データ端末が第２私設アクセス網送受信器の無線サービス領域に移動した場合に、セッションを設定する第２私設アクセス網送受信器システムと、無線高速データ端末間の呼接続を遂行し、第１無線高速データ端末が第２ネットワークサービスに接続された第２無線高速データ端末との呼接続を要求する場合、第１無線高速データ端末及び第２無線高速データ端末にデータサービスを提供し、第１無線高速データ端末及び第２無線高速データ端末の状態情報を更新するように要求する私設アクセス網制御器と、からなるとよい。
【００２３】
　このシステムで、データ位置登録器が状態情報更新要求に応じて無線高速データ端末の状態情報をビジー状態に更新するとよい。
【００２４】
　また、このシステムでは、私設アクセス網制御器が、無線高速データ端末に対するデータサービスを完了した場合、無線高速データ端末の状態情報の更新を要求し、無線高速データ端末間の呼接続を解除するとよい。
【００２５】
　データ位置登録器は他の状態情報更新要求に応じて無線高速データ端末の状態情報をアイドル状態情報に更新するとよい。
【００２６】
　第１ネットワークサービスは無線私設網であるとよい。また、第２ネットワークサービスはＰＬＭＮであるとよく、公衆網であってもよい。
【００２７】
　データ位置登録器は無線私設網の第１無線高速データ端末に関する情報をＰＬＭＮの第２無線高速データ端末に関する情報と一致させて貯蔵することができる。
【００２８】
　私設アクセス網制御器とデータ位置登録器はＩＰに基づいて構成されるとよい。
【００２９】
　私設アクセス網制御器が発信側無線高速データ端末と着信側無線高速データ端末の状態情報をビジー状態に更新する要求メッセージを伝送し、データ位置登録器が状態情報更新要求メッセージを受信した場合に加入者情報を検索して無線高速データ端末状態情報をビジー状態に更新することができる。
【発明の効果】
【００３０】
　本発明によると、公衆網と私設網が連動する移動通信システムで私設網内にある端末の状態情報を公衆網に伝達して公衆網で公衆及び私設共有セル領域内にある私設網加入者の状態を把握できるようにすることで、迅速、円滑に公衆及び私設移動通信サービスを提供できるようになる。さらに、２次呼出の発生を防止して、不必要な呼出の発生や、呼出無応答による誤り処理などが不要になり、無線資源の効率的な管理ができるようになる。
【発明を実施するための最良の形態】
【００３１】
　以下、本発明の望ましい実施形態について添付図を参照しつつ詳細に説明する。下記の発明において、本発明の要旨のみを明瞭にする目的で、関連した公知機能又は構成に関する具体的な説明は省略する。
【００３２】
　図２は本発明の一実施形態に従う公衆／私設移動通信システムの公衆／私設通信サービス装置構成を示している。
【００３３】
　図２に示した公衆／私設通信サービス装置１２は有線サービス、ＩＰ端末サービス、公衆用及び私設用移動通信サービスを提供する。有線サービスはＰＢＸ３０により、ＩＰ端末間のサービスはゲートキーパー９４により、公衆用及び私設用移動通信サービス、即ち、無線呼サービスはＣＭ５０により遂行される。
【００３４】
　ＰＢＸ３０、ｐＢＳＣ４０のＩＮＩＡ(ＩＰ Network Interface board Assembly module)４６、ＣＭ５０のＬＩＭ(ＬＡＮ Interface Module)６８のそれぞれは、ＬＡＮ(Local Area Network)９０に接続される。そしてゲートキーパー９４もＬＡＮ９０に接続され、ＬＡＮフォン９２、ウェブフォン、ＰＣ(Personal Computer)のようなＩＰ端末もＬＡＮ９０に接続される。
【００３５】
　ｐＢＳＣ４０は公衆用移動通信システムでのＢＳＣに対応する機能、即ち、無線リンク制御、ハンドオフ機能を遂行する。ｐＢＳＣ４０のメイン制御部はＣＭ５０のソフトウェアブロックに内蔵される。ｐＢＳＣ４０はｐＣＩＮ４２を含めてなる。ｐＣＩＮ４２はＣＭ５０との通信経路、ＰＬＭＮ１のＢＳＣ(４−ｍ)との通信経路、ｐＢＴＳ(８−ｋ)との通信経路及びｐＢＳＣ４０内の各ブロック間のデータ経路を提供する。即ち、ｐＣＩＮ４２はメッセージタイプ、受信するメッセージに含まれている発信者アドレス及び目的地アドレスを分析して、該当装置、またはプロセッサに伝送する役割を遂行する。ｐＣＩＮ４２とＰＬＭＮ１のＢＳＣ(４−ｍ)間及びｐＣＩＮ４２とｐＢＴＳ(８−ｋ)間はＥ１ラインで接続されている。ｐＢＳＣ４０のｐＣＩＮ４２に接続されたＴＳＢ４４は私設用移動通信加入者の無線サービスのために設けられたものである。ＴＳＢ４４はＰＢＸ３０とｐＢＳＣ４０間の通信データ整合のための機能を遂行する。ｐＢＳＣ４０のｐＣＩＮ４２に接続されたＩＮＩＡ４６は、構内無線データサービスを担当する。また、ＩＮＩＡ４６はＰＰＰ(Point to Point Protocol)サーバとＴＣＰ／ＩＰ(Transmission Control Protocol／Internet Protocol)を利用して公衆／私設共有セル領域のＭＳから受信するデータパケットをＬＡＮ９０に伝送する役割を果たす。
【００３６】
　ＰＢＸ３０内に位置し、ＰＢＸ３０のスイッチ３２とＬＡＮ９０間に接続されたＶｏＩＰ部３６は、ＬＡＮフォン９２などのＩＰ端末とＰＢＸ３０に接続された有線端末機(図示せず)とがスイッチ３２により連動された場合にＶｏＩＰ機能をサービスする。
【００３７】
　ＣＭ５０はｐＢＳＣ４０とＬＡＮ９０で接続されており、公衆用及び私設用移動通信サービスの無線呼に対する制御機能を遂行する。この場合、公衆用移動通信網のＭＳに対する呼サービスは公衆用ＭＳＣにメッセージをバイパシング(bypassing)するように制御する。また、ＣＭ５０は無線資源に対する運営、維持、保守機能を遂行する。ただし、ｐＢＴＳ(８−ｋ)に対する資源管理は公衆用ＭＳＣ１(２−１)で遂行され、ＣＭ５０は参照のみをする。そしてＣＭ５０はｐＢＳＣ資源を制御するプロセッサのプログラム及びＰＬＤ(Program Loaded Data)ローディング機能を遂行する。しかし、ｐＢＴＳ(８−ｋ)に対するローディングは、公衆用ＢＳＭ(Base Station Manager)(図示せず)が担当する。ＣＭ５０は有線及び無線複合機能を制御する。また、社内無線単文サービス(radio SMS)機能を支援するので、ＳＭＳ(Short Message Service)機能を遂行する。また、私設用移動通信網加入者登録及び機能設定のための機能を支援し、私設用移動通信網に加入したＭＳのローミング(roaming)機能のための訪問者位置登録機(Visitor Location Register：ＶＬＲ)管理機能を遂行する。
【００３８】
　ＣＭ５０はこのような機能を遂行するため、図示したように、ＤＣＩ(Data Communication Interface)５２、ｐＢＴＭＲ(ｐＢＴＳMessage Router)５４、ｐＢＳＣ(private ＢＳＣ)５６、ｐＭＳＣ(private Mobile Switching Center)５８、ＰＭＩＣ(ＰＢＸ Mobile Interface Controller)６０、ＳＭＣ(Short Message service Controller)６２、ｐＶＬＲ(private Visitor Location Register)６４、ＷＳＭ(Wireless System Manager)６６、及びＬＩＭ６８を含むソフトウェアブロックを有する。ＤＣＩ５２はｐＢＳＣ４０のＰＣＩＮ４２とＣＭ５０間の通信のためのインタフェースモジュールとして、ＨＩＮＡ(High Capacity IPC Processor Assembly)を通じたＩＰＣ(Inter Process Communication)を担当する。ｐＢＴＭＲ(ｐＢＴＳ Message Router)５４はｐＢＴＳ(８−ｋ)で処理すべきすべてのメッセージに対する経路指定を担当するモジュールである。より具体的に説明すると、ｐＢＴＭＲ５４は内部のルータテーブルを参照してＭＳの着、発呼サービス(公衆用、私設用)のための制御(シグナル)メッセージ経路を指定し、ｐＢＴＳ(８−ｋ)の維持保守サービスのためのメッセージ経路を指定する。また、ｐＢＴＭＲ５４はｐＶＬＲ６４と通信する。ｐＢＳＣ５６はｐＢＳＣ４０のメイン制御部として、ｐＢＴＳ(８−ｋ)の制御を担当する。ｐＭＳＣ５８は公衆用移動通信網と私設用移動通信網サービスを支援し、ｐＢＳＣ５６とＰＭＩＣ６０間に位置して既存公衆用移動通信網のＭＳＣに対応した役割を担当する。また本発明の一実施形態に従って、基本的に加入者の呼処理及びその他の付加サービスの分析及びＰＢＸ３０との連動のための諸般インタフェースを処理する。より具体的に説明すると、ｐＭＳＣ５８は加入者のサービス要求を分析し、これを既存公衆用移動通信網サービスで処理するか、私設用移動通信網サービスで処理するかに対する基本的な応答と、これに対する処理手順を決定する。ｐＢＳＣ５６とのインタフェースは既存公衆用移動通信網への処理手順に従って、相互インタフェースは内部ＩＰＣを利用する。ＰＭＩＣ６０は有線及び無線複合機能を制御するモジュールである。ＰＭＩＣ６０は公衆／私設共有セル領域にあり、私設用移動通信サービスに登録されたＭＳ、例えば、図１に示したＭＳ２４、ＭＳ２５とＰＢＸ３０に接続された有線端末装置間の呼制御を処理するモジュールである。ｐＭＳＣ５８は既存の公衆用ＭＳＣとは異なり、自己が直接スイッチングの役割を果たさない。これはｐＭＳＣ５８がソフトウェアブロックであるので、公衆用ＭＳＣのようなスイッチがないからである。そのため、私設用移動通信サービスを提供する場合、本発明の公衆／私設通信サービス装置１２ではＰＢＸ３０のスイッチ３２を利用する。本発明の一実施形態ではＰＭＩＣ６０がｐＭＳＣ５８のスイッチ制御要求によりＰＢＸ３０のスイッチ３２を制御する内容の命令語を生成してＰＢＸ３０の制御部(図示せず)に印加する。これによってＰＢＸ３０の制御部は命令語に相応する一連のスイッチ制御を遂行する。ＳＭＣ６２は単文メッセージサービスのための制御機能及びＳＭＳウェブサーバ機能を担当するモジュールである。ｐＶＬＲ６４は、私設用移動通信サービスに登録された加入者情報、私設移動通信加入者の位置登録情報、各種機能サービスのための情報を管理するモジュールである。ＷＳＭ６６は、公衆／私設通信サービス装置１２が提供する移動通信サービス機能のすべての維持、保守、運営を担当する。ＷＳＭ６６には運用者とのインタフェースのため運用者コンソール(console)(図示せず)が接続されている。ＬＩＭ６８はＬＡＮ９０を通じた通信を担当するモジュールである。このＬＩＭ６８は運営体制(operating system)を通じて対応する各モジュール(ＰＭＩＣ６０、ＳＭＣ６２、ｐＶＬＲ６４、ＷＳＭ６６)とＬＡＮ９０を通じた通信を担当するように構成されている。
【００３９】
　ｐＢＴＳ(８−ｋ)は、ＰＭＣＣ(ｐＢＴＳ Main Controller Card)８０、ＰＣＣ(ｐＢＴＳ Channel Card)８２、ＴＲＩＣ(Transmit & Receive Interface Card)８４、及びＰＲＵ(private ＢＴＳ Radio Unit)８６を含めてなる。ｐＢＴＳ(８−ｋ)に含まれた構成は、通常の公衆用移動通信システムでのＢＴＳ構成とその動作が類似であるので、これに対する詳細な説明は省略する。ｐＢＴＳ(８−ｋ)で、ＰＭＣＣ８０はｐＢＴＳ(８−ｋ)に対する全体制御を遂行するブロックとして、呼設定及びシステム性能に関連したシグナルリングメッセージを処理し、ハードウェア及びソフトウェア形状を管理し、必要な資源割り当てを遂行する。ＰＣＣ８２は無線規格の帯域信号処理を遂行する。ＴＲＩＣ８４はＰＲＵ８６とＰＣＣ８２間の送受信インタフェースを担当する。ＰＲＵ８６は無線部として複数個のアンテナ(ＡＮＴ１〜ＡＮＴｎ)に接続される。
【００４０】
　公衆／私設通信サービス装置１２は有線サービス、ＩＰ端末サービス、そして公衆用及び私設用移動通信サービスを提供する。下記では公衆／私設通信サービス装置１２が遂行する公衆用及び私設用移動通信サービスに対して詳細に説明する。
【００４１】
　公衆／私設通信サービス装置１２は、ＣＭ５０にサービス登録されたＭＳに対して無線通信サービスだけではなく、有線と連係した複合機能サービスをも提供する。無線通信サービスに関連するサービスには発呼、着呼、呼転換(call transfer)、呼フォワーディング(call forwarding)、構内無線データサービス、構内無線ＳＭＳなどがある。有無線複合機能サービスの一例としては、有線端末への着呼時に有線端末とＭＳに着信リングを同時に鳴らさせる機能がある。
【００４２】
　このような公衆／私設移動通信システムが公衆用移動通信サービス及び私設用移動通信サービスを共に提供することができるとは、公衆／私設通信サービス装置１２に印加されるすべてのメッセージを分析して公衆用移動通信網に該当する制御(シグナル)メッセージは公衆用ＢＳＣに伝達し、私設用移動通信網に該当する制御(シグナル)メッセージはＣＭ５０内にあるモジュールにルーティングするとの意味である。このように経路指定の役割を遂行するモジュールは、ＣＭ５０のｐＢＴＭＲ５４である。ｐＢＴＭＲ５４は発呼、着呼、位置登録、ＳＭＳサービスなどのイベントが発生すると、イベントされたメッセージを分析してそれによる経路を指定する。ｐＢＴＭＲ５４は各イベントに対応する指定された経路情報をマッピングしたルータテーブルを設けているが、各メッセージが印加されるごとに、ルータテーブルを参照して該当する装置及びモジュールにメッセージを伝送する。
【００４３】
　図３は本発明の他の実施形態に従う公衆／私設移動通信システムの公衆／私設通信サービス装置構成を示している。
【００４４】
　図３に示した公衆／私設通信サービス装置の一例では、ＢＴＳ２００、ＢＳＣＰＶＴ５００、そしてＰＬＭＮ３００、４００間に非同期伝送モード(Asynchronous Transfer Mode：ＡＴＭ)網が配置され、信号パケット、音声圧縮パケット、そしてデータパケットが伝送される。
【００４５】
　また、ＣＭを、図２では参照符号５０で示し、別のサーバ形態として存在するように示しているが、図３に示したように、カード形態でＢＳＣＰＶＴ[private ＢＳＣ(Base Station Controller)]５００に実装されることもできる。
【００４６】
　図３を参照すると、ＣＭ５０のカードを意味するＣＭ_１は内部構成要素としてｐＶＬＲ５１０、ｐＭＳＣ５２０、ｐＢＳＣ５３０、ｐＢＴＭＲ５４０、及びＰＭＩＣ５６０を含むソフトウェアモジュールを有する。その他にもＢＳＣＰＶＴ５００にはパケットメッセージ(packet message)経路であるｐＢＡＮ(privateＢＳＣ ＡＴＭ Network)５５０とＴＣＬＡ(Transcode Control and Linkboard Assembly)５７０などが含まれる。
【００４７】
　構内(私設)網に位置したＭＳ１００はＢＴＳ２００を通じてＰＬＭＮ３００、４００への着信、または発信をするようになり、ＰＬＭＮ４００のＶＬＲにはＭＳ１００の状態、即ち通話中(busy)、またはアイドル状態(idle)が続けて更新される。他局ＭＳＣ(図示せず)からＰＬＭＮ４００の自局ＭＳＣへ呼が発生すると、ホーム位置登録機(Home Location Register：ＨＬＲ、図示せず)がＶＬＲに加入者状態を照会する。この場合、加入者状態が“アイドル状態”であると、他局ＭＳＣからＰＬＭＮ４００の自局ＭＳＣに呼がルーティングされ呼出が生じる。
【００４８】
　公衆網呼が発生した場合の接続経路を具体的に説明すると、着信呼の場合、ＰＬＭＮ４００のＭＳＣからＢＳＣ３００にＮｏ.７シグナルリングを通じて呼出要求(paging request)メッセージを伝達する。呼出要求メッセージを受信したＢＳＣ３００はｐＢＳＣ５３０を通じてＢＴＳ２００に一般(general)呼出メッセージを伝送するようになり、ＢＴＳ２００で呼出チャネルを通じて呼出が生じる。ただし、着信呼が発生した場合、ＶＬＲに記録されているＭＳ１００の状態を照会して、通話中であると、前述のような着信過程は生じず、ＰＬＭＮ４００のＭＳＣ内部で通話中処理過程を遂行する。
【００４９】
　構内無線呼が発生した場合の接続経路を説明すると、次の通りである。
【００５０】
　着信呼の場合、ＰＢＸがｐＢＳＣ５３０に呼出要求メッセージを送ると、ｐＢＳＣ５３０がＢＴＳ２００に呼出メッセージを伝送するようになり、ＢＴＳ２００が呼出チャネルを通じて呼び出す。
【００５１】
　反対に、発信呼の場合、ＭＳ１００がＢＴＳ２００を通じて発信呼メッセージ(origination)をｐＢＳＣ５３０に送信すると、ｐＭＳＣ５２０がｐＢＳＣ５３０とＰＢＸ間に接続されたＥ１チャネル中、利用可能なチャネルを占有した後、割り当て要求(assignment request)メッセージをｐＢＳＣ５３０に送る。割り当て要求メッセージを受信したｐＢＳＣ５３０はＢＴＳ２００にチャネル割り当てメッセージを送信する。このようにして、ｐＢＳＣ５３０のボコーダ(図示せず)とＢＴＳ２００のチャネル間にリンクが設定される。次にＭＳ１００がサービス接続完了(service connect complete)メッセージをｐＢＳＣ５３０に送ると、これを受信したｐＢＳＣ５３０が割り当て完了(assignment complete)メッセージとしてリンクの設定が完了したことをｐＭＳＣ５２０に知らせる。この割り当て完了メッセージに応答してｐＭＳＣ５２０はＰＢＸに呼メッセージ(call message)を送信し、ＰＢＸが着信者に呼メッセージをルーティングできるようにする。
【００５２】
　また、ＢＳＣ３００がＢＴＳ２００に送る呼出要求メッセージがｐＢＳＣ５３０を通じて伝達される。この時に、ｐＢＳＣ５３０でメッセージ内に含まれた着信者情報を分析して構内網加入者への呼出であると、構内網通話状態であるかを検査し、この検査結果が通話状態であると、呼出要求を受諾しないようにする拒否(reject)処理過程を具現することもできる。
【００５３】
　これまで本発明の一実施形態の理解を助けるために、本発明を適用することができる公衆／移動通信システムの公衆／私設通信サービス装置構成の一例を説明した。当業者であれば、本願明細書の内容から本発明が前述の例による装置に同様に適用可能であり、また本明細書を参照することにより、前述の例と類似な構成及び通信経路を有する他のシステム及び装置にも本発明の範囲内で適用することができることの事実を認識するであろう。
【００５４】
　以下では図３に開示した公衆／私設通信サービス装置を基準にして本発明の一実施形態に従う詳細な構成を説明するが、これは説明の便宜のためのものであり、本発明の範囲を制限するものではない。言及したように、当業者であれば、次の詳細な説明を参照して本発明を図２の装置だけではなく、類似な構成及び通信経路を有する装置に同様に適用することができることに留意すべきである。
【００５５】
　図４は図２、または図３の公衆／私設網で公衆網呼出呼を処理する方法を示したフローチャートである。以下では図３及び図４を参照して説明する。
【００５６】
　３ａ段階(BSC TRANSMITS PAGING MESSAGE TO BTS)で公衆／私設網共有セル領域にあるＭＳ１００を呼び出すために、ＢＳＣ３００が呼出メッセージをＢＴＳ２００に伝送する。３ｂ段階(pBAN TRANSMITS PAGING MESSAGE TO pBTMR)でｐＢＡＮ５５０は受信した呼出メッセージをｐＢＴＭＲ５４０に伝送する。図２の場合であれば、呼出メッセージがｐＣＩＮ４２を通じてｐＢＴＭＲ５４０に伝送される。さらに、図３及び図４を参照すると、３ｃ段階(pBTMR TRANSMITS PAGING MESSAGE TO BTS)でｐＢＴＭＲ５４０は呼出メッセージを受信した後、ＢＴＳ２００に伝送する。
【００５７】
　３ｄ段階(BTS TRANSMITS PAGING MESSAGE TO MS)でＢＴＳ２００は呼出メッセージをＭＳ１００に伝送する。そして３ｅ段階(HAS PAGING RESPONSE MESSAGE RECEIVED FROM MS?)でＭＳ１００から応答があるかをチェックする。チェックの結果、応答があると、３ｆ段階(BTS TRANSMITS PAGING RESPONSE MESSAGE TO pBTMR)でＭＳ１００の呼出応答メッセージをｐＢＡＮ５５０を通じてｐＢＴＭＲ５４０に伝送する。３ｇ段階(pBTMR TRANSMITS PAGING RESPONSE MESSAGE TO BSC)でｐＢＴＭＲ５４０はＭＳ１００の呼出応答メッセージをｐＢＡＮ５５０を通じて公衆網のＢＳＣ３００に伝送する。そして３ｈ段階(CALL PROCESS)でＢＳＣ呼手続を進行する。
【００５８】
　３ｅ段階でＭＳ１００から応答がないと、３ｉ段階(IS NUMBER OF TRANSMISSION TIMES GREATER THAN 2?)で再伝送回数をチェックして予め定められた回数(例:２)以上であると、３ｊ段階(PAGING TERMINATION)に進行してＢＳＣ呼出を終了し、そうでなければ、３ａ段階に戻り呼出メッセージ再伝送が遂行されるようにする。
【００５９】
　公衆／私設網でＭＳ１００が公衆網の呼出に対して応答できない場合を説明すると、ＭＳ１００自体に問題がある場合、または現在私設網を利用している場合である。後者の場合は私設網で構内の他の加入者端末機７００と通話中であることを意味するもので、この時は公衆網で呼出信号(公衆網着信呼)が発生しても、現在通話中であるので、ＭＳ１００は応答できない。しかし、ＰＬＭＮとしてはＭＳ１００が構内通話中状態であることを知り得る方法がない、すなわち言い換えれば、ＰＬＭＮではＭＳ１００の状態をアイドル状態と認識するので、続けて呼び出すようになる。図示した一例では１次呼出に対する応答がないと、２次呼出を試みるようになっており、ＭＳ１００がその時まで通話中であれば、呼出に対する応答が不可能であるので、無応答処理過程を遂行するしかない。このようになると、公衆網ではＭＳ１００の位置も把握できないだけではなく、２次呼出まで試みなければならない。言い換えれば、公衆網無線資源を効率的に管理することができない。
【実施例１】
【００６０】
　図５は本発明の第１実施形態による公衆／私設移動通信システムの公衆／私設通信サービス装置の構成を示した図である。
【００６１】
　図５に示した第１実施形態は図３に示した公衆／私設通信サービス装置で具現できる一例を示したもので、直接関与しない部分(ｐＭＳＣ５２０、ｐＢＳＣ５３０、ＰＭＩＣ５６０)は図示していない。
【００６２】
　本発明の第１実施形態による公衆／私設通信サービス装置のｐＢＴＭＲ５４０は、第１判別部(FIRST DETERMINER)５４０ａ及び第２判別部(SECOND DETERMINER)５４０ｂと呼出応答メッセージ発生部(PAGING RESPONSE MESSAGE GENERATOR)５４０ｃを含むことができる。ここで、第１判別部５４０ａは公衆網でＭＳ１００に呼が発生するかを判別し、第２判別部５４０ｂはＭＳ１００が構内通話中であるかを判別し、呼出応答メッセージ発生部５４０ｃは、第１判別部５４０ａにより公衆網でＭＳ１００に呼が発生したことを認識し、又は、第２判別部５４０ｂによりＭＳ１００が構内通話中であることを認識すると、ＭＳ１００の代わりに呼出応答メッセージを発生して公衆網に伝送する。
【００６３】
　第２判別部５４０ｂはＭＳ１００が私設網に接続されているかを示す状態情報を有する私設呼テーブル(private call table)５１５を参照して、該当ＭＳ１００が構内通話中であるか否かを判別することができる。
【００６４】
　このような構成に基づいて、公衆網呼出呼及び私設網呼出呼の伝達過程と、それぞれに対する呼出応答メッセージ発生過程を説明すると、次の通りである。
【００６５】
　公衆網呼出呼伝達過程はＭＳＣ→ＢＳＣ→ＢＳＣＰＶＴ(ｐＢＴＭＲ)→ＢＴＳ→ＭＳになり、呼出応答メッセージ発生過程は逆順にＭＳ→ＢＴＳ→ＢＳＣＰＶＴ(ｐＢＴＭＲ)→ＢＳＣ→ＭＳＣになる。ここでｐＢＳＣＰＶＴ(ｐＢＴＭＲ)はｐＢＳＣＰＶＴ内部のＢＴＳメッセージルータソフトウェアブロックを意味する。
【００６６】
　私設網呼出呼伝達過程は、ｐＭＳＣ→ＢＳＣＰＶＴ(ｐＢＴＭＲ)→ＢＴＳ→ＭＳになり、呼出応答メッセージ発生過程は、ＭＳ→ＢＴＳ→ＢＳＣＰＶＴ(ｐＢＴＭＲ)→ｐＭＳＣになる。
【００６７】
　図６は私設網訪問者位置登録機(ｐＶＬＲ)に登録されている本発明の一実施形態による私設呼テーブルの構造の一例を示した図である。
【００６８】
　私設呼テーブルには各移動無線端末機の固有番号(Electronic Serial Number：ＥＳＮ)、電話番号(Mobile Identification Number：ＭＩＮ)、内線番号(EXTENSION NUMBER)、加入者名前(SUBSCRIBER NAME)、状態情報(STATE)などが記録される。状態情報は私設網使用可否を表示する。この状態情報はｐＭＳＣ５２０により記録、または削除されるが、私設網の呼出時には“私設網使用中”であることが記録され、呼解除時にはその記録が削除される。
【００６９】
　呼出呼信号(paging call signal)に対する端末機呼出応答メッセージを発生する場合、ｐＢＴＭＲ５４０は状態情報を参照してルーティングする。また、公衆網呼出に対するｐＢＴＭＲ５４０のルーティングも状態情報を参照する。即ち、該当端末機が私設網使用中であると、端末機の呼出応答メッセージを生成して公衆網に応答する。
【００７０】
　図７は本発明の一実施形態による呼出応答メッセージの構造を示した図である。
【００７１】
　sud_tagはメッセージタグ(tag)として、例えば、呼出応答メッセージ(Page Response Message：ＰＲＭ)や登録メッセージ(Registration Message：ＲＧＭ)などを表示すことができる。mobile_idの種類にはＥＳＮ、ＭＩＮ、ＩＭＳＩ(International Mobile Subscriber Identity)などがある。ＩＭＳＩはＳＩＭ(Subscriber Identity Module)に貯蔵されており、システム接続時に認証用に使用される。
【００７２】
　図８は本発明の第１実施形態に従って、私設網が公衆網呼出呼を処理する方法を示したフローチャートである。私設網による呼処理は４過程に大別され、図５を参照して図８の手続を具体的に説明すると、次の通りである。
【００７３】
　第１過程：公衆網でＭＳ１００に呼が発生するか否かをチェックする過程である。
【００７４】
　１３ａ段階(BSC TRANSMITS PAGING MESSAGE TO BTS)でＢＳＣ３００が公衆／私設網共有セル領域にあるＭＳ１００を呼び出すため、呼出メッセージをＢＴＳ２００に伝送する。
【００７５】
　第２過程：第１過程で呼が発生したことが判断される場合と、図６に示したような私設呼テーブル５１５に基づいて、該当ＭＳ１００が私設網呼使用中であるか否かを確認する過程である。
【００７６】
　１３ｂ段階(pBAN TRANSMITS PAGING MESSAGE TO pBTMR)でｐＢＡＮ５５０は受信した呼出メッセージをｐＢＴＭＲ５４０に伝送する。そして１３ｃ段階(pBTMR REQUESTS pVLR TO ANALYZE WHETHER MS CURRENTLY USES PRIVATE NETWORK CALL)でｐＢＴＭＲ５４０はｐＶＬＲ５１０に該当ＭＳ１００の私設網呼使用中可否の分析を依頼する。
【００７７】
　第３過程：第２過程で私設網呼使用中であることが判断されると、ＭＳ１００の代わりに図７に示したような呼出応答メッセージを発生し、その呼出応答メッセージを公衆網に伝送する過程である。
【００７８】
　１３ｄ段階(DOES MS CURRENTLY USE PRIVATE NETWORK CALL?)で私設網呼使用中であることが判断されると、１３ｅ段階(pBTMR GENERATES PAGING RESPONSE MESSAGE AND TRANSMITS IT TO BSC)に進行してｐＢＴＭＲ５４０はＭＳ１００の代わりに呼出応答メッセージを発生し、その呼出応答メッセージをｐＢＡＮ５５０を通じて公衆網のＢＳＣ３００に伝送する。そして１３ｆ段階(PAGING TERMINATION)に進行してＢＳＣ呼出を終了する。
【００７９】
　第４過程：第２過程で私設網呼使用中ではないことが判断される場合は公知動作と同様である。即ち、１３ｄ段階で私設網呼使用中でないことが判断されると、１３ｇ段階(pBTMR TRANSMITS PAGING MESSAGE TO BTS)に進行してｐＢＴＭＲ５４０が呼出メッセージをｐＢＡＮ５５０を通じてＢＴＳ２００に伝送する。
【実施例２】
【００８０】
　図９は本発明の第２実施形態に従って私設網が公衆網に公衆／私設網共有セル領域にある構内ＭＳの状態を知らせる方法を示したフローチャートである。
【００８１】
　上述した図３で、私設網呼出呼の伝達はｐＭＳＣ→ＢＳＣＰＶＴ(ｐＢＴＭＲ)→ＢＴＳ→ＭＳの順序に遂行され、構内ＭＳ応答はその逆順であるＭＳ→ＢＴＳ→ＢＳＣＰＶＴ(ｐＢＴＭＲ)→ｐＭＳＣの順序で遂行される。また私設網による構内ＭＳ状態伝達は、ｐＢＳＣ(ｐＢＴＭＲ)→ＢＳＣ→ＭＳＣの順序で遂行される。このような動作を図９を参照して具体的に説明すると、次の通りである。
【００８２】
　ＭＳ１００が構内の他の加入者端末機７００から呼び出される場合を仮定し、この時のＭＳ１００の状態を公衆網に知らせる状況を説明する。
【００８３】
　第１過程：私設交換機(ＰＢＸ)で公衆／私設網共有セル領域にあるＭＳ１００を呼び出すための呼出要求メッセージを送ると、５ａ段階(pMSC GENERATES PAGING MESSAGE)でｐＭＳＣ５２０がＭＳ１００を呼び出すため、呼出メッセージを発生し、５ｂ段階(pBSC TRANSMITS PAGING MESSAGE TO BTS)でｐＢＳＣ５３０がこれをＢＴＳ２００に伝送する。５ｃ段階(BTS TRANSMITS PAGING MESSAGE TO MS)でＢＴＳ２００は呼出メッセージをＭＳ１００に伝送する。
【００８４】
　第２過程：５ｄ段階(MS TRANSMITS ACKNOWLEDGEMENT MESSAGE TO BTS)で呼出メッセージを受信したＭＳ１００が応答メッセージ(ＡＣＫ)を発生してＢＴＳ２００に伝送する。
【００８５】
　第３過程：５ｅ段階(HAS BTS RECEIVED ACKNOWLEDGEMENT MESSAGE?)及び５ｆ段階(BTS TRANSMITS ACKNOWLEDGEMENT MESSAGE TO pBSC)を通じて応答メッセージを受信したＢＴＳ２００がこれをｐＢＡＮ５５０を通じてｐＢＳＣ５３０に伝送する。５ｇ段階(pBSC TRANSMITS ACKNOWLEDGEMENT MESSAGE TO pMSC)でｐＢＳＣ５３０はこれをｐＭＳＣ５２０に伝達する。５ｈ段階(pMSC TRANSMITS STATE MESSAGE TO pBSC)でｐＭＳＣ５２０が応答メッセージの受信を感知すると、通話路を形成した後、ＭＳ１００の状態(通話中)を知らせるための状態メッセージを発生してｐＢＳＣ５３０に伝送する。５ｉ段階(pBSC TRANSMITS STATE MESSAGE TO BSC)でｐＢＳＣ５３０は状態メッセージをｐＢＡＮ５５０を通じて公衆網のＢＳＣ３００に伝達し、５ｊ段階(BSC TRANSMITS STATE MESSAGE TO MSC)でＢＳＣ３００は状態メッセージをＭＳＣ４００に伝送する。５ｋ段階(MSC RECORDS STATE OF MS IN VLR)でＭＳＣ４００は状態メッセージに応じてＶＬＲにＭＳ１００の状態(通話中)を記録する。
【００８６】
　第４過程：第３過程で応答メッセージを受信していことが判断されると、無応答に対する処理をする過程となる。具体的には、５ｅ段階でｐＭＳＣ５２０が応答メッセージの受信を感知しないと、５ｌ段階(N TIMES?)及び５ｍ段階(N←N+1)のように、予め定められた回数だけ(または、一定時間)呼を再び試みる。
【００８７】
　図１０は本発明の第２実施形態に従って私設網が端末機呼を終了する時、端末機状態メッセージを移動交換局(ＭＳＣ)に伝達する方法を示したフローチャートである。
【００８８】
　第１過程：６ａ段階(pMSC GENERATES CALL TERMINATION MESSAGE TO TRANSMIT IT TO pBSC)でｐＭＳＣ５２０が公衆／私設網共有セル領域にあるＭＳ１００に呼終了メッセージを発生する。
【００８９】
　第２過程：６ｂ段階(pBSC GENERATES MS STATE MESSAGE TO TRANSMIT IT TO BSC)でｐＢＳＣ５３０が呼終了メッセージを受信し、端末機状態メッセージ(アイドル状態)を発生してｐＢＡＮ５５０を通じて公衆網のＢＳＣ３００に伝送する。
【００９０】
　第３過程：６ｃ段階(BSC TRANSMITS MS STATE MESSAGE TO MSC)でＢＳＣ３００が状態メッセージをＭＳＣ４００に伝送すると、６ｄ段階(MSC RECORDS STATE OF MS IN VLR)でＭＳＣ４００が状態メッセージに応じてＶＬＲにＭＳ１００の状態(アイドル状態)を記録する。
【００９１】
　図１１は本発明の一実施形態による加入者整合のために新しいメッセージを生成する場合、その新規メッセージの構造を示した図である。
【００９２】
　任意の一つのメッセージを構成するメッセージ領域(message field)には、基本的に、５０バイトのメッセージ_ヘッダー(message header:HEADER)、２バイトのメッセージ_長さ(message length:LENGTH)、４バイトのメッセージ_アイディ(message_ID(identification):ID)が含まれる。メッセージ_ヘッダーは目的地／ソースアドレス(destination／source address)などを記録するための領域であり、メッセージ_長さはメッセージの長さを貯蔵するための領域であり、メッセージ_アイディはメッセージのタイプを記録するための領域である。
【００９３】
　メッセージ_アイディ領域に、通話中(LOCAL_BUSY_MSG_TYPE)、またはアイドル状態(LOCAL_IDLE_MSG_TYPE)を記録することにより、メッセージを加入者整合のために使用することができる。
【００９４】
　図１２は本発明の一実施形態による加入者整合のために既存メッセージにサブ-ＩＤ及びサブタイプを追加した構造を示した図である。
【００９５】
　任意のメッセージが図１１で説明した基本的な領域にメッセージ_サブ_アイディ(message_sub_ID:SUB_ID)をさらに有する形態を示している。メッセージ_サブ_アイディは４バイトで構成され、メッセージのタイプ内に含まれるサブタイプを記録するための領域である。
【００９６】
　メッセージ_サブ_アイディ領域に通話中(LOCAL_BUSY_MSG_TYPE)、またはアイドル状態(LOCAL_IDLE_MSG_TYPE)を記録することにより、基本メッセージを加入者整合のため使用することができる。図１３はその具体的な一例である。
【００９７】
　図１３は本発明の一実施形態による加入者整合のため位置登録メッセージにサブ-ＩＤ及びサブタイプを追加した構造を示した図である。
【００９８】
　位置登録メッセージは図１１及び図１２で説明した基本的な領域と１バイトの登録タイプ(registration type)、１バイトのスロットサイクルインデックス(slot_cycle_index)、そして端末機バージョン(version)を記録するための領域を含む。登録タイプに通話中(LOCAL_BUSY_REG_TYPE)、またはアイドル状態(LOCAL_IDLE_REG_TYPE)を記録することにより、位置登録メッセージを加入者整合のために使用することができる。また、スロットサイクルインデックスは端末機がページングチャネル(paging channel)メッセージを検索する周期を示す。例えば、スロットサイクルインデックスが０であると１.２８秒、１であると２.５６秒、２であると５.１２秒を示す。端末機のバージョンの場合は、１であるとＩＳ−９５、２であるとＩＳ-９５-Ａ、そして３であるとＴＳＢ ７４を示す。
【００９９】
　図１４は本発明の一実施形態を１ｘＥＶ−ＤＯ端末のための無線高速データシステムに適用する場合における公衆／私設移動通信網の構成図を示したものである。移動通信網は公衆網（又はＰＬＭＮ）及び私設網を共に使用することが可能な無線網である。以下、図１４を参照して本発明の一実施形態に従う無線高速データシステムのネットワーク構成及び各構成に応じた機能、動作を説明する。図１のように図１４においても、私設網のノード、または、無線私設網とＰＬＭＮに共通に使用されるノードには小文字“ｐ”を記載して私設網ノードであることを区分した。
【０１００】
　図１４に示した無線高速データ端末(ＡＮ:Access Node)１１、２１は、一般的な無線高速データシステムで使用される端末である。端末１１、２１のうちＡＮ１１は無線私設網サービスを受ける加入者であり、他の一つの端末２１はＰＬＭＮサービスを受ける加入者と仮定する。また図１４に示した私設アクセス網送受信器システム(ｐＡＮＴＳ：private Access Network Transceiver System)１０１、１０２はそれぞれ所定の無線サービス領域１０、２０を有し、無線領域内に端末が進入する場合、セッション(Session)を設定し、該当端末に必要な臨時識別子(ＵＡＴＩ:Unicast Access Terminal Identifier)を割り当てる場合に必要な動作を遂行する。また、ｐＡＮＴＳ１０１、１０２は、ＡＮに呼着信(call reception)がある場合又はＡＮから呼発信(call transmission)がある場合、これに従う動作を遂行する。このｐＡＮＴＳ１０１、１０２はハブ１１０と接続される。
【０１０１】
　ハブ１１０は無線私設網内の各ノードとＰＬＭＮの他のノード又は他のノードと接続するための他のハブと接続される。図１４では無線私設網の外部と接続される場合に他のハブ１２０と接続される構成を示している。さらに、ハブ１１０は無線私設網のＡＮのみが使用ができる私設パケットデータサービスノード(ｐＰＤＳＮ:private Packet Data Serving Node)１１１と接続され、また、無線私設網とＰＬＭＮに共通に使用される私設アクセス網制御器（ｐＡＮＣ：private Access Network Controller）１１２と無線私設網のみで使用される私設認証システム(ｐＡＮ_ＡＡＡ:private Access Network Authentication Accounting Authorization)１１３と接続されてデータの中継を遂行する。ここで、ｐＡＮ＿ＡＡＡ１１３は無線私設網とＰＬＭＮで共通に使用するように構成することもできる。
【０１０２】
　無線私設網のｐＡＮＣ１１２はＡＮ１１、２１に対するセッション(Session)設定、ＵＡＴＩの割り当て及びｐＡＮ＿ＡＡＡ１１３を通じたＡＮの認証を制御する。また、ｐＡＮＣ１１２は無線私設網内のＡＮ又はｐＰＤＳＮ１１１へのサービスと私設網外部へのサービスを設けてルーティングを遂行する。さらに、ｐＡＮＣ１１２はＡＮ１１又はＡＮ２１の認証のためのセッションの設定及び更新、ＵＡＴＩ割り当てのための制御及び呼設定に応じたトラヒック制御、各種シグナリング制御などを遂行する。例えば、ｐＡＮＣ１１２は、ＡＮにページング信号を伝達し、ＤＬＲ（Data Location Register）１２１にセッション情報を割り当て又は更新し、位置情報を貯蔵し及びＤＬＲ１２１のためにＵＡＴＩを割り当てる。
【０１０３】
　他のハブ１２０は、ＡＮ＿ＡＡＡ１２２と、ＡＮＣ１２３と、ＰＤＳＮ１２４及びＡＮの情報を貯蔵するＤＬＲ１２１と接続され、各ノード間のデータの中継を遂行する。また、ハブ１２０にＰＬＭＮのＡＮＴＳが接続されることができるが、図１４ではこれを図示していない。
【０１０４】
　ＰＤＳＮ１２４は、インターネット１３０を通じて他のパケットサービスノード又はｐＰＤＳＮ１１１と接続される。また、公衆網のＡＮＣ１２３は無線高速データシステムの一般的なＡＮＣであり、ＡＮ_ＡＡＡ１２２も無線高速データシステムの一般的なＡＮ_ＡＡＡである。
【０１０５】
　ＤＬＲ１２１は無線高速データシステムのＡＮに関するＡＮ情報とＡＮ位置情報を貯蔵し、該当端末のセッションが更新された場合にＡＮの情報を提供する。また、ＤＬＲ１２１は一般的なＰＬＭＮに含まれるＡＮの情報を貯蔵している。一般的なＰＬＭＮのＡＮ情報には、ＡＮ状態情報、使用者情報、サービス等級の情報などが含まれる。さらに、ＤＬＲ１２１は本発明の一実施形態に応じて無線私設網のＡＮ情報をさらに備える。この時、ＤＬＲ１２１が備える情報は、ＡＮが無線私設網のみで提供されるサービスを受ける場合と、ＡＮが無線私設網とＰＬＭＮで同時にサービスを受ける場合とに区分されることができる。本発明の一実施形態では無線私設網とＰＬＭＮで全てのサービスを受けるＡＮについて説明する。この場合、ＤＬＲ１２１は、無線私設網のＡＮに関する情報と、これと同一の情報であるＰＬＭＮのＡＮに必要な情報とを有し、これに加えて無線私設網に対する情報をさらに有する。ここで、無線私設網に関連した情報は、サービスエリア、例えば、サービスＡＮＣ又はセクタ情報、サービス時間情報、サービスタイプの情報などをさらに含んでいる。ＤＬＲ１２１が、ＡＮにＵＡＴＩを割り当てる場合、特別の規約に応じて割り当てるように構成することもできる。
【０１０６】
　さらに、私設無線網のＡＮがサービスを受ける場合、無線私設網への接続と公衆網への接続を区分することができる識別子をさらに設けて伝送するように構成することもできる。
【０１０７】
　ｐＡＮＴＳ１０１、１０２、ｐＡＮＣ１１２、ＡＮＣ１２３、ＤＬＲ１２１、ｐＰＤＳＮ１１１及びＰＤＳＮ１２４はＩＰ基盤で構成することができる。一般的に、ｐＡＮＴＳとｐＡＮＣ１１２及びＡＮＣ１２３との間、ＤＬＲとＰＤＳＮとの間の接続はＡＴＭ基盤で構成されるが、このように構成する場合、費用上昇の要因になる。従って、ＩＰ基盤で構成すれば費用を効果的に節減することができる。このように、ｐＡＮＴＳ１０１、１０２、ｐＡＮＣ１１２、ＡＮＣ１２３、ＤＬＲ１２１、ｐＰＤＳＮ１１１及びＰＤＳＮ１２４をＩＰ基盤で構成する場合、それぞれのノード内部における各ボード又はプロセッサ間通信はＩＰＣ（Inter Process Communication）通信を遂行するように構成する。また、各ノードの内部プロセッサ又はボードには内部で使用するためのＩＰを割り当てる。そして、ノードが所定の電話局や制御局のようなＣＯ(Center Office)内部に位置する場合には、内部ＩＰを割り当てて使用することができる。ＣＯから遠距離に位置するノードには固定ＩＰを割り当てる。このようにすることによりＩＰアドレスの不足を防止することができる。
【０１０８】
　ｐＡＮＴＳ１０１、１０２とｐＡＮＣ１１２、ＡＮＣ１２３と間のインタフェースは、ＡＤＳＬモデムやケーブルモデム(Cable Modem)などを利用することができる。また、ｐＡＮ＿ＡＡＡ１１３、ＡＮ＿ＡＡＡ１２２、ｐＰＤＳＮ１１１及びＰＤＳＮ１２４が当初からＩＰ方式を使用するように構成されているので、問題はない。
【０１０９】
　このように構成される無線高速データ通信システムで、本発明の一実施形態に応じて無線私設網内の通信のために呼が発信される過程に従うメッセージフローを図１５を参照して説明する。図１５は本発明の一実施形態に応じた無線高速データ端末の状態情報管理のための呼処理過程を示した図である。
【０１１０】
　図１５を参照すると、私設無線網のＡＮ１１が、２０１段階(CALL CONNECTION REQUEST MESSAGE TO AN WITHIN PRIVATE NETWORK)で呼の１ｘＥＶ−ＤＯサービス、つまり呼発信要求サービスを要求する場合、定義されたエアインタフェースプロトコル(air interface protocol)規格に基づいてＵＡＴＩ及び発信しようとする対象の目的地アドレスを含む呼接続要求メッセージをｐＡＮＴＳ１０１に伝送する。つまり、本発明の一実施形態に応じて、ＡＮ１１は私設網に接続された端末との呼接続要求メッセージを伝送する。ｐＡＮＴＳ１０１が、呼接続要求メッセージを受信すると、ＩＰ通信処理後にその呼接続要求メッセージをハブ１１０に伝達する。ハブ１１０は受信した呼接続要求メッセージをｐＡＮＣ１１２に伝送する。私設網のｐＡＮＣ１１２が、呼接続要求メッセージを受信すると、２０３段階(SUBSCRIBER INFORMATION REQUEST MESSAGE)で着信側ＡＮの加入者情報要求メッセージをＤＬＲ１２１伝送する。ＤＬＲ１２１が加入者情報要求メッセージを受信すると、該当加入者情報を照会して２０５段階(SUBSCRIBER INFORMATION RESPONSE MESSAGE)で加入者情報を含む加入者情報応答メッセージをｐＡＮＣ１１２に伝送する。ｐＡＮＣ１１２は受信した加入者情報応答メッセージに含まれた加入者情報を通じて私設網内の着信側端末の位置を把握し、２０７段階(CALL SETUP)で呼を設定する。これによって２０９段階(HIGH-SPEED WIRELESS DATA SERVICE)で無線私設網のＡＮ１１は無線高速データサービスを受けるようになる。このように着信側ＡＮが私設網内の端末である場合、従来では呼が設定されてもＤＬＲ１２１の加入者情報の端末状態情報を更新しなかったが、本発明の一実施形態によれば、下記のようにＡＮの状態情報が更新される。
【０１１１】
　ｐＡＮＣ１１２は２０７段階以後、２１１段階(STATE INFORMATION UPDATE REQUEST MESSAGE)で発信側ＡＮ１１と着信側ＡＮの状態情報を含む状態情報更新要求メッセージをＤＬＲ１２１に伝送する。即ち、発信側ＡＮ１１と着信側ＡＮの状態情報がビジー状態に更新されるように要求するメッセージを伝送する。ＤＬＲ１２１は２１３段階(UPDATE STATE INFORMATION OF SUBSCRIBERS TO BUSY STATE INFORMATION)で状態情報更新要求メッセージを受信すると、加入者情報を検索してＡＮの加入者情報の状態情報をビジー状態に更新する。
【０１１２】
　以後、ＰＤＳＮ１２４は接続された任意のＡＮから無線高速データ通信をサービス受けているＡＮのうち一つのＡＮと呼接続を要求する呼接続要求メッセージを受信するようになると、２１５段階(CALL CONNECTION REQUEST MESSAGE)で呼接続要求メッセージを公衆網のＡＮＣ１２３に伝送する。本発明の一実施形態では理解を助けるために、ＰＤＳＮ１２４を通じて呼接続を要求するＡＮがＡＮ１１と呼接続を要求する場合を仮定する。なお、ＡＮ１１が呼接続を要求する場合も、下記と同一の過程が遂行される。公衆網のＡＮＣ１２３は２１７段階(SUBSCRIBER INFORMATION REQUEST MESSAGE)でＡＮ１１の加入者情報を要求する加入者情報要求メッセージをＤＬＲ１２１に伝送する。ＤＬＲ１２１は２１９段階(SUBSCRIBER INFORMATION RESPONSE MESSAGE)で加入者情報要求メッセージを受信すると、ＡＮ１１の加入者情報を検索して、加入者情報を含む加入者情報応答メッセージをＡＮＣ１２３に伝送する。ＡＮＣ１２３は２２１段階(BUSY STATE INFORMATION)で加入者情報応答メッセージを受信すると、加入者情報を分析してＡＮ１１の状態がビジー状態であることを把握し、これに応じてＡＮ１１がビジー状態であることを知らせるメッセージをＰＤＳＮ１２４に伝送する。
【０１１３】
　一方、ＡＮ１１は無線高速データ通信サービスを完了すると、２２３段階(CALL RELEASE REQUEST MESSAGE)でｐＡＮＴＳ１０１を通じて無線私設網のｐＡＮＣ１１２に呼解除要求メッセージを伝送する。呼解除要求メッセージを受信したｐＡＮＣ１１２は、２２５段階(CALL RELEASE)でＡＮ１１の呼を解除し、２２７段階(STATE INFORMATION UPDATE REQUEST MESSAGE)に進行する。２２７段階でｐＡＮＣ１１２はＡＮ１１がアイドル状態になったことを示す加入者状態情報メッセージをＤＬＲ１２１に伝送する。ＤＬＲ１２１は２２９段階(UPDATE STATE INFORMATION OF SUBSCRIBERS TO IDLE STATE INFORMATION)でＡＮ１１の状態情報をアイドル状態に更新する。
【０１１４】
　前述したように無線私設網内で通信が遂行されてもｐＡＮＣ１１２は本発明に応じてＤＬＲ１２１の加入者情報を端末の状態に応じて更新する。
【０１１５】
　前述の本発明の実施形態はコンピュータリード可能媒体に貯蔵され、コンピュータが遂行可能な命令(instruction)で具現することができる。コンピュータリード可能媒体はコンピュータリード可能なデータ、コンピュータ、または処理装置がリードすることができる全てのタイプのデータが貯蔵される全ての可能な種類の媒体を含む。例えば、コンピュータリード可能媒体は磁気記録媒体(ＲＯＭｓ、フロッピー（登録商標）ディスク、ハードディスク)、光(Optical)リード媒体(ＣＤ_ＲＯＭ(Compact Disk-Read-Only Memory、ＤＶＤ(Digital Versatile Disks)、反復ライト可能な光ディスクのような記録媒体、ハイブリッド(hybrid)マグネティク貯蔵媒体、システムメモリ(read-only memory、random access memory)、フラッシュメモリのような非揮発性メモリ、または他の揮発性メモリ、他の半導体媒体、電子媒体、電磁場媒体、赤外線またはキャリアウェーブ(インターネット、または他のコンピュータを通じた伝送)のような他の通信媒体に限定されない。通信媒体は一般的にコンピュータリード可能命令、データ構造、プログラムモジュール、またはキャリアウェーブ(carrier wave)のような変調された信号データ、またはデータ情報媒体に含まれる他の伝送メカニズムで構成される。通信媒体のようなコンピュータリード可能媒体は無線周波数、赤外線マイクロ波(infrared microwaves)のような無線媒体と有線網のような有線媒体を含むことができる。また、コンピュータリード可能媒体はネットワークを通じて接続されるコンピュータに分散されたコンピュータリード可能コードを貯蔵するか、実行することができる。さらに、コンピュータリード可能媒体は、処理システム内、または処理システムに地域的に、遠隔に接続される多数の処理システム間に分散された相互接続又は内部接続コンピュータリード可能媒体を含む。本発明の実施形態では本発明の技術を表示するデータを含む多数のフィールドを含むデータが貯蔵されるコンピュータリード可能媒体を含むことができる。
【０１１６】
　本発明のコンピュータ実行可能な命令を含むコンピュータにリード可能媒体を読み出すことができるコンピュータの一実施形態を図１６に示したが、本発明はこれに限定されない。コンピュータ１６００はコンピュータを制御するプロセッサ１６０２を含む。プロセッサ１６０２はシステムメモリ１６０４とコンピュータリード可能媒体を含むコンピュータリード可能メモリ装置１６０６とを含む。システムバスは、プロセッサ１６０２を他のコンピュータ、インタネットなどのネットワークに接続させるネットワークインタフェース１６０８、モデム１６１２、他のインタフェースに接続する。また、システムバスは他の装置に接続する入力及び出力インタフェース１６１０を含む。
【図面の簡単な説明】
【０１１７】
【図１】本発明の一実施形態を適用することができる公衆／私設移動通信システムの網構成及びその通信経路を示した図。
【図２】本発明の一実施形態を適用することができる公衆／私設移動通信システムの公衆／私設通信サービス装置の構成の一例を示した図。
【図３】本発明の一実施形態に従う公衆／私設移動通信システムの公衆／私設通信サービス装置の構成の他の例を示した図。
【図４】本発明を適用することができる公衆／私設移動通信システムの公衆／私設通信サービス装置で公衆網呼出呼を処理する方法を示したフローチャート。
【図５】本発明の公衆／私設移動通信システムの公衆／私設通信サービス装置の構成のさらに他の例を示した図。
【図６】私設網訪問者位置登録機にある、本発明の第１実施形態による移動無線端末機状態情報テーブルの構造を示した図。
【図７】本発明の第１実施形態による呼出応答メッセージの構造を示した図。
【図８】本発明の第１実施形態に従って私設網が公衆網呼出呼を処理する方法を示したフローチャート。
【図９】本発明の第２実施形態に従って私設網が公衆網に公衆／私設網共有セル領域にある構内無線端末機の状態を知らせる方法を示したフローチャート。
【図１０】本発明の第２実施形態に従って私設網が端末機呼を終了する時、端末機状態メッセージを移動交換局(ＭＳＣ)に伝達する方法を示したフローチャート。
【図１１】本発明の第２実施形態による加入者整合のため新しいメッセージを生成する場合、その新規メッセージの構造を示した図。
【図１２】本発明の第２実施形態による加入者整合のため前述のメッセージにサブ-ＩＤ及びタイプを追加した構造を示した図。
【図１３】本発明の第２実施形態による加入者整合のため位置登録メッセージにサブ-ＩＤ及びタイプを追加した構造を示した図。
【図１４】本発明が１ｘＥＶ−ＤＯ端末のための無線高速データシステムに適用される場合、公衆／私設移動通信網の構成を示した図。
【図１５】図１４の無線高速データ端末の状態管理情報管理のための呼処理過程を示した図。
【図１６】本発明の実施形態による方法を表現したコンピュータが遂行可能な命令を貯蔵するコンピュータ貯蔵可能媒体を含むコンピュータ内部のブロック図。
【符号の説明】
【０１１８】
１，３００，４００　無線公衆網（ＰＬＭＮ）
２−１　移動交換局（ＭＳＣ）
４−ｍ　基地局制御器（ＢＳＣ）
８−１，２００　基地局（ＢＴＳ）
８−ｋ　私設基地局（ｐＢＴＳ）
１０，２０　無線サービス領域
１１，２１　無線高速データ端末（ＡＮ）
１２　公衆／私設通信サービス装置
１６　ＰＳＴＮ／ＩＳＤＮ
２２，２４，２５，１００　移動局（ＭＳ）
３０，６００　私設交換機(ＰＢＸ)
３２　スイッチ
３４　Ｅ１インタフェース
３６　ＶｏＩＰ(Voice over Internet Protocol)部
４０　私設基地局制御器（ｐＢＳＣ）
４２　ｐＣＩＮ(private Communication Interconnection Network)
４４　ＴＳＢ(Transcoder & Selector Bank)
４６　ＩＮＩＡ(ＩＰ Network Interface board Assembly module)
５０　ＣＭ(Call Manager)
５２　ＤＣＩ(Data Communication Interface)
５４，５４０　ｐＢＴＭＲ(ｐＢＴＳMessage Router)
５６，５３０　ｐＢＳＣ(private ＢＳＣ)
５８，５２０　ｐＭＳＣ(private Mobile Switching Center)
６０，５６０　ＰＭＩＣ(ＰＢＸ Mobile Interface Controller)
６２　ＳＭＣ(Short Message service Controller)
６４，５１０　ｐＶＬＲ(private Visitor Location Register)
６６　ＷＳＭ(Wireless System Manager)
６８　ＬＩＭ(ＬＡＮ Interface Module)
８０　ＰＭＣＣ(ｐＢＴＳ Main Controller Card)
８２　ＰＣＣ(ｐＢＴＳ Channel Card)
８４　ＴＲＩＣ(Transmit & Receive Interface Card)
８６　ＰＲＵ(private ＢＴＳ Radio Unit)
９０　ＬＡＮ(Local Area Network)
９２　ＬＡＮフォン
９４　ゲートキーパー
１０１，１０２　私設アクセス網送受信器システム(ｐＡＮＴＳ）
１１０，１２０　ハブ
１１１　私設パケットデータサービスノード(ｐＰＤＳＮ）
１１２　私設アクセス網制御器（ｐＡＮＣ）
１１３　私設認証システム(ｐＡＮ_ＡＡＡ）
１２１　ＤＬＲ（Data Location Register）
１２２　認証システム(ＡＮ_ＡＡＡ）
１２３　アクセス網制御器（ＡＮＣ）
１２４　パケットデータサービスノード(ＰＤＳＮ）
１３０　インターネット
５００　ＢＳＣＰＶＴ
５１５　私設呼テーブル
５４０ａ　第１判別部
５４０ｂ　第２判別部
５５０ｃ　呼出応答メッセージ発生部
５５０　ｐＢＡＮ(privateＢＳＣ ＡＴＭ Network)
５７０　ＴＣＬＡ(Transcode Control and Linkboard Assembly)
７００　加入者端末機
１６００　コンピュータ
１６０２　プロセッサ
１６０４　システムメモリ
１６０６　コンピュータリード可能メモリ装置
１６０８　ネットワークインタフェース
１６１２　モデム
１６１０　入力及び出力インタフェース
【図１】
2004112793.tif 000003
【図２】
2004112793.tif 000004
【図３】
2004112793.tif 000005
【図４】
2004112793.tif 000006
【図５】
2004112793.tif 000007
【図６】
2004112793.tif 000008
【図７】
2004112793.tif 000009
【図８】
2004112793.tif 000010
【図９】
2004112793.tif 000011
【図１０】
2004112793.tif 000012
【図１１】
2004112793.tif 000013
【図１２】
2004112793.tif 000014
【図１３】
2004112793.tif 000015
【図１４】
2004112793.tif 000016
【図１５】
2004112793.tif 000017
【図１６】
2004112793.tif 000018